(57)【要約】【課題】電子ビューファインダーの内部の異物の除去を容易に行うことができる電子機器を提供すること。【解決手段】電子ビューファインダーを搭載した電子機器において、光学画像を表示する表示素子と、前記表示素子から出力された光束を観察者の眼球に結像するように導くレンズ部と、前記表示素子と前記レンズ部の間に光束を透過する透過部材を有し、前記透過部材は光軸に対して直交しな位置関係にあり、前記レンズ部と前記透過部材の間に異物除去開口を有し、前記異物除去開口と前記透過部材は角度を有し対面する位置関係にあることを特徴とする。【選択図】図４
2016143926.tif 000002
【特許請求の範囲】
【請求項１】
光学画像を表示する表示素子を有する電子ビューファインダーにおいて、
前記表示素子から出力された光束を観察者の眼球に結像する様に導くレンズ部と、
前記表示素子と前記レンズ部の間に、光束を透過する透過部材を有し、
前記レンズ部と前記透過部材を保持するレンズ部保持部材を有し、
前記透過部材は光軸に対して直交しない位置関係にあり、
前記レンズ部保持部材は前記レンズ部と前記透過部材の間に異物除去開口を有し、
前記異物除去開口は前記透過部材と角度を有して対面する位置関係にあることを特徴とする電子機器。
【請求項２】
前記レンズ保持部材の、前記レンズ部と前記透過部材の間の、前記異物除去開口が設置されない前記レンズ部の光軸周方向の位置に、異物吸着部材を配置したことを特徴とする請求項１に記載の電子機器。
【発明の詳細な説明】
【技術分野】
【０００１】
本発明は、ビデオカメラまたはデジタルカメラ等の電子ビューファインダーが設置される電子機器に関する。
【背景技術】
【０００２】
ビデオカメラやデジタルカメラ等に搭載されている電子ビューファインダーにおいては、電子ビューファインダー内の有機ＥＬパネル等の表示素子から出力された画像はレンズ等で拡大されることにより視認可能な構成となっている。表示素子付近に埃や塵等の細かい異物が付着した場合、拡大されて表示されてしまい、使用者に不快感を与えてしまうといった問題点がある。
【０００３】
電子ビューファインダー内部の表示素子付近に付着している異物が視認されたとしても、その異物の除去は容易ではない。そこで、表示素子に回動機構を設け、異物が付着した際は表示素子を回動させて、内部にある異物を除去する技術が提案されている（特許文献１）。
【先行技術文献】
【特許文献】
【０００４】
【特許文献１】特開２０１１−３３６７０号公報
【発明の概要】
【発明が解決しようとする課題】
【０００５】
しかしながら、特許文献１に記載されている表示素子を回動させる機構を電子ビューファインダーに設けると、表示素子の表示面とレンズの光軸のずれの懸念や、表示素子そのものを回動させるといった煩雑な作業をしなければいけないといった、問題点がある。
【０００６】
本発明は、上記課題に省みてなされたものであり、電子ビューファインダーの内部の異物の除去を容易に行うことができるあることを特徴とするを提供することを目的とする。
【課題を解決するための手段】
【０００７】
上記の目的を達成するために、本発明の電子機器は、
では光学画像を表示する表示素子と、上記表示素子から出力された光束を観察者の眼球に結像するように導くレンズ部と、上記表示素子と上記レンズ部の間に光束を透過する透過部材と、上記透過部材は光軸に対して直交しない位置関係にあり、上記光学系と上記透過部材の間に異物除去開口を有し、上記異物除去開口と上記透過部材は角度を有し対面する位置関係にあることを特徴とする。
【発明の効果】
【０００８】
本発明の電子機器によれば、電子ビューファインダーの透過部材に付着した異物を容易に除去することができる。
【図面の簡単な説明】
【０００９】
【図１】本発明の実施形態に係る電子機器１の外観構成を示す図である。
【図２】電子ビューファインダー１００の外観構成を示す図である。
【図３】電子ビューファインダー１００の断面図である。
【図４】電子ビューファインダー１００の異物除去を行う際の断面図である。
【発明を実施するための形態】
【００１０】
以下に、本発明の実施形態を添付の図を基に詳細に説明する。
【００１１】
図１は本発明の実施形態に係る電子機器１を上面側から見た外観斜視図である。この電子機器１は、レンズ交換式のデジタルビデオカメラとして構成されている。
【００１２】
図１に示すように、電子機器１はカメラ本体部２００に交換可能なレンズユニットを着脱できるレンズマウント部２０１を有する。カメラ本体部２００の上方には備え付けの電子ビューファインダー１００を有する。
【００１３】
図２は電子ビューファインダー１００の外観構成を示す斜視図である。特に図２（ａ）は電子ビューファインダー１００をカメラ本体部２００側から見た外観斜視図であり、図２（ｂ）は電子ビューファインダー１００を接眼側から見た外観斜視図である。
【００１４】
電子ビューファインダー１００は、カメラ本体部２００に接続するためのカメラ本体接続ヒンジ１０２、及びカメラ本体部２００から画像信号を受け取るためのビューファインダー接続ＦＰＣ１０３とを備える。電子ビューファインダー１００では後述する表示素子の高寿命化及び省電力化の為に、接眼時のみ作動させ、それ以外は停止させるための接眼検知部１０５を設置している。
【００１５】
図３は電子ビューファインダー１００の内部構成を示す断面図であり、図３（ａ）は断面位置を示す図である。その切り口を示した断面図が図３（ｂ）である。
【００１６】
カメラ本体部２００からビューファインダー接続ＦＰＣ１０３を通り送られた画像信号は、電子ビューファインダー基板１０６を経由して表示素子１０４に送られ光学画像として表示される。また電子機器１においては表示素子１０４は有機ＥＬパネルを使用している。表示素子１０４により表示された光学画像の光束は、表示素子保護部材１０７を透過し、レンズ部１０８によって拡大される。レンズ部１０８を通った光束はレンズ保護板１０９を透過し、観察者の眼球へと導かれ画像として視認される。また、レンズ保護板１０９は光束が通過する開口を有するレンズ保護板押さえ部材１１０により電子ビューファインダー１００に固定される。電子ビューファインダー１００では観察者の眼球とレンズ部１０８の光軸１５０を合わせやすくするためにアイカップ１１１を備えている。
【００１７】
電子ビューファインダー１００では表示素子保護部材１０７及び表示素子及びレンズ部保持部材１１２、表示素子封止部材１１３、表示素子シーリング部材１１４により、表示素子１０４が設置されている空間は密閉されているため、この密閉されている空間の中では、埃や塵等の異物が表示素子１０４や表示素子保護部材１０７の表示素子１０４側の面に付着することはない。
【００１８】
次に、電子ビューファインダー１００では視度調整用ノブ１１５を図３（ｂ）の紙面に垂直方向にスライドすることにより、表示素子及びレンズ部保持部材１１２に保持されたレンズ部１０８が光軸１５０方向にレンズ保護板１０９と表示素子保護部材１０７の間をスライドし、視度を調整する機構となっている。このレンズ部１０８が移動する範囲の空間も表示素子及びレンズ部保持部材１１２により密閉を行っているが、製造時にこの空間に入ってしまった埃や塵等の異物や、レンズ部１０８が視度調整のためにスライドすることにより磨耗して発生してしまう異物が、この空間の中に存在することが考えられる。視度調整によるレンズ部１０８のスライドにより、これらの異物が舞ってしまい、表示素子保護部材１０７に付着することが起こってしまう。
【００１９】
電子ビューファインダー１００では表示素子１０４上の画像をレンズ部１０８により拡大し表示する光学系を採用しているため、表示素子１０４付近の光路内に付着してしまった異物は拡大されて視認されてしまうので、使用者に不快感を与えてしまう恐れがある。
【００２０】
前述のように表示素子保護部材１０７の表示素子１０４側は密閉されており、中に移動する機構も存在しないので異物が付着することは考えにくいが、表示素子保護部材１０７のレンズ部１０８側は密閉されているが、レンズ部１０８のスライドにより異物が舞って付着する恐れがある。
【００２１】
これらの異物を電子ビューファインダー１００を分解することにより除去を行うのでは煩雑な作業が必要になってしまうので、表示素子保護部材１０７のレンズ部１０８側の異物を容易に除去することができる機構が必要となる。
【００２２】
そこで、電子ビューファインダー１００ではアイカップ１１１を取り外し、異物除去開口封止部材１１６を取り外すと、表示素子及びレンズ部保持部材１１２にある異物除去開口１１７が露出する。この異物除去開口１１７からブロア等により風を送り表示素子保護部材１０７のレンズ部１０８側の異物を除去できる機構を搭載している。
【００２３】
図４はアイカップ１１１及び、異物除去開口封止部材１１６を外し異物を除去した状態の内部構成を示す断面図である。図４（ａ）は断面位置を示す図であり、その切り口を示した断面図が図４（ｂ）である。
【００２４】
図４（ｂ）に示す通り、電子ビューファインダー１００では表示素子保護部材１０７を光軸１５０に対して垂直ではない位置関係で設置している。これは光軸１５０に対して、垂直な位置関係に表示素子保護部材１０７を設置した場合では異物除去開口１１７より異物を視認することが難しく、また、異物除去開口１１７からブロア等で風を送り異物を除去する場合では、表示素子保護部材１０７に平行な方向の風しか送ることができず、異物に風があたりにくいといった問題点がある。
【００２５】
そこで、電子ビューファインダー１００では、表示素子保護部材１０７を光軸１５０と垂直より傾け、表示素子保護部材１０７と角度を有して対面する位置関係に異物除去開口１１７を設置している。電子ビューファインダー１００では光軸１５０と垂直な面に対して表示素子保護部材１０７を５度傾けている。
【００２６】
このため、電子ビューファインダー１００では異物除去開口１１７から異物を視認しやすく、また、異物除去開口１１７から異物に直接風を当てることができるため、容易に表示素子保護部材１０７の異物を除去できる構成となっている。
【００２７】
電子ビューファインダー１００では、表示素子保護部材１０７が上面を向くように光軸１５０と垂直な面から傾け、表示素子保護部材１０７と角度を有して対面するように、異物除去開口１１７を上面に配置しているが、この位置関係に限らず、表示素子保護部材１０７を光軸に対して垂直な位置から傾け、表示素子保護部材１０７と異物除去開口１１７が角度を有して対面する位置関係であれば、光軸１５０の周方向のどの位置に設置しても同等の効果が得られる。
【００２８】
また、電子ビューファインダー１００では、ブロア等により吹き飛ばした異物が再度、表示素子保護部材１０７に付着しないように、吹き飛ばした異物を吸着させる為の異物吸着部材１１８を表示素子及びレンズ部保持部材１１２の、  表示素子保護部材１０７とレンズ部１０８の間の、異物除去開口１１７と対向する位置に設置している。電子ビューファインダー１００では異物吸着部材１１８は異物除去開口１１７と対向する位置であるが、表示素子保護部材１０７とレンズ部１０８の間の異物除去開口１１７がない光軸１５０の周方向の位置であればどの位置に設置しても同等の効果が得られる。
【００２９】
以上のように、表示素子保護部材１０７を光軸１５０と垂直ではない位置関係に傾けて設置し、表示素子保護部材１０７と異物除去開口１１７を角度を有して対面する位置関係に配置することにより、表示素子保護部材１０７に付着した異物を容易に除去することが可能となる。
【００３０】
以上、本発明の好ましい実施形態について説明したが、本発明はこれらの実施形態に限られず、その要旨の範囲内で種々の変形及び変更が可能である。
【符号の説明】
【００３１】
１０４  表示素子、１０７  表示素子保護部材、１０８  レンズ部、
１１２  表示素子及びレンズ部保持部材、１１７  異物除去開口、１１８  異物吸着部材
【図１】
2016143926.tif 000003
【図２】
2016143926.tif 000004
【図３】
2016143926.tif 000005
【図４】
2016143926.tif 000006